(57)【要約】【課題】番組タイトルの変更に対応して録画予約情報の自動更新が可能であるとともに、予約情報の自動変更に伴って、予約時間が変更された場合でも、他の予約番組の録画に影響を与えず、また、連続番組の放送終了に際しては、録画予約を自動的に解消可能な放送番組記録再生装置および放送番組予約録画方法を提供することを目的とする。【解決手段】録画予約更新手段２１７は、新しい番組データ２１２に基づいて新しい番組情報を取得し（Ｓ１０１）、録画予約記憶手段２１６に保存され予約番組のタイトル文字列を用いて、新しい番組情報の中から当該予約番組に関する新しい放送時間情報を検出する（Ｓ１０２）。そして、録画予約記憶手段２１６に保存されている予約時間情報を読み出し（Ｓ１０３）、新しい放送時間情報と予約時間情報を比較し（Ｓ１０４）、比較結果が一致していない場合は、番組予約結合処理（Ｓ１０５）を行う。【選択図】図３
2006229396.tif 000002
【特許請求の範囲】
【請求項１】
テレビジョンの放送番組の放送時間情報を有した電子番組データに基づいて、予め設定された録画予約情報を自動的に変更する放送番組予約録画方法であって、
(ａ)前記電子番組データから、録画予約の対象となっている対象番組の放送時間情報を取得するステップと、
(ｂ)前記録画予約情報から、前記対象番組の予約時間情報を取得するステップと、
(ｃ)前記放送時間情報および前記予約時間情報とを比較するステップと、
(ｄ)前記ステップ(ｃ)での比較の結果、前記放送時間情報と前記予約時間情報とが一致していない場合には、前記放送時間情報に基づいて得られる放送時間帯および、前記予約時間情報に基づいて得られる予約時間帯の両方を含んで前記放送番組の録画を行うように、前記録画予約情報を自動的に変更するステップと、を備える放送番組予約録画方法。
【請求項２】
前記ステップ(ｄ)は、
前記放送時間帯と前記予約時間帯との比較を行い、
両者に重なりがある場合には、早い方の開始時間と、遅い方の終了時間とで規定される新たな時間帯を前記予約時間帯に代えて新たな予約時間帯として設定し、
前記放送時間帯と前記予約時間帯とで重なりがない場合には、前記予約時間帯を維持するとともに、前記放送時間帯を新たな予約時間帯として追加設定するステップと、を備える請求項１記載の放送番組予約録画方法。
【請求項３】
テレビジョンの放送番組の放送時間情報を有した電子番組データに基づいて、予め設定された録画予約情報を自動的に変更する放送番組予約録画方法であって、
(ａ)前記電子番組データから、録画予約の対象となっている放送局の異なる第１および第２の対象番組の、第１および第２の放送時間情報をそれぞれ取得するステップと、
(ｂ)前記録画予約情報から、前記第１および第２の対象番組の、第１および第２の予約時間情報をそれぞれ取得するステップと、
(ｃ)前記第１および第２の放送時間情報と、前記第１および第２の予約時間情報とをそれぞれ比較するステップと、
(ｄ)前記ステップ(ｃ)での比較の結果、前記第１の放送時間情報と前記第１の予約時間情報との比較結果、および前記第２の放送時間情報と前記第２の予約時間情報との比較結果のうち、少なくとも一方が一致していない場合には、前記第１の放送時間情報に基づいて得られる第１の放送時間帯と、前記第２の放送時間情報に基づいて得られる第２の放送時間帯との比較を行うステップと、
(ｅ)前記ステップ(ｄ)での比較の結果、前記第１の放送時間帯と前記第２の放送時間帯とが少なくとも一部重複する場合、前記第１の放送時間帯および前記第２の放送時間帯に基づいて、それぞれ新たな第１の予約時間情報および新たな第２の予約時間情報を設定し、前記第１および第２の対象番組を、前記新たな第１および第２の予約時間情報に基づいて、互いに独立して動作が可能な第１および第２の復調／圧縮手段を介してそれぞれ録画することを決定するステップと、を備える放送番組予約録画方法。
【請求項４】
(ｆ)前記ステップ(ｄ)での比較の結果、前記第１の放送時間帯と前記第２の放送時間帯とが重複しない場合、
前記第１および第２の対象番組のうち、放送時間がずれた番組については、前記第１および／または第２の放送時間情報に基づいて、新たな予約時間情報を設定するステップを備える請求項３記載の放送番組予約録画方法。
【請求項５】
テレビジョンの放送番組の放送時間情報およびタイトル情報を有した電子番組データに基づいて、予め設定された録画予約情報を自動的に変更する放送番組予約録画方法であって、
前記録画予約情報は、毎日もしくは特定の曜日にほぼ同一の時間帯で連続して放送される連続番組を予約する連続予約情報を含み、
(ａ)前記電子番組データから、録画予約の対象となっている対象番組の前記タイトル情報を取得するステップと、
(ｂ)前記対象番組の前記タイトル情報中に前記連続番組の終了あるいは開始を示す所定の記号が含まれているか否かについて判定を行うステップと、
(ｃ)前記ステップ(ｂ)において、前記所定の記号が含まれていると判定された場合には、前記連続予約情報を自動的に破棄するステップと、を備える放送番組予約録画方法。
【請求項６】
前記ステップ(ｂ)において検出された前記所定の記号が、前記連続番組の終了を示す場合、
前記ステップ(ｃ)は、前記連続予約情報を破棄するとともに、前記対象番組の前記録画予約情報を１回のみの録画予約に対応するように変更するステップを含む、請求項５記載の放送番組予約録画方法。
【請求項７】
テレビジョンの放送番組の放送時間情報を有した電子番組データに基づいて、予め設定された録画予約情報を自動的に変更する機能を有した放送番組記録再生装置であって、
前記電子番組データから取得され、録画予約対象となっている対象番組の放送時間情報と、前記録画予約情報から取得され、前記対象番組の予約時間情報とを比較し、前記放送時間情報と前記予約時間情報とが一致していない場合には、前記放送時間情報に基づいて得られる放送時間帯および、前記予約時間情報に基づいて得られる予約時間帯の両方において前記放送番組の録画を行うように、前記録画予約情報を自動的に変更する録画予約更新手段を備える、放送番組記録再生装置。
【請求項８】
テレビジョンの放送番組の放送時間情報を有した電子番組データに基づいて、予め設定された録画予約情報を自動的に変更する機能を有した放送番組記録再生装置であって、
互いに独立して動作が可能な第１および第２の復調／圧縮手段と、
前記電子番組データからそれぞれ取得される、録画予約対象となっている放送局の異なる第１および第２の対象番組の、第１および第２の放送時間情報と、前記録画予約情報からそれぞれ取得される、前記第１および第２の対象番組の、第１および第２の予約時間情報とをそれぞれ比較し、前記第１の放送時間情報と前記第１の予約時間情報との比較結果、および前記第２の放送時間情報と前記第２の予約時間情報との比較結果のうち、少なくとも一方が一致していない場合には、前記第１の放送時間情報に基づいて得られる第１の放送時間帯と、前記第２の放送時間情報に基づいて得られる第２の放送時間帯との比較を行い、前記第１の放送時間帯と前記第２の放送時間帯とが少なくとも一部重複する場合、前記第１の放送時間帯および前記第２の放送時間帯に基づいて、それぞれ新たな第１の予約時間情報および新たな第２の予約時間情報を設定し、前記第１および第２の対象番組を、前記新たな第１および第２の予約時間情報に基づいて、前記第１および第２の復調／圧縮手段を介してそれぞれ録画することを決定する録画予約更新手段と、を備える、放送番組記録再生装置。
【請求項９】
テレビジョンの放送番組の放送時間情報およびタイトル情報を有した電子番組データに基づいて、予め設定された録画予約情報を自動的に変更する機能を有した放送番組記録再生装置であって、前記録画予約情報は、毎日もしくは特定の曜日にほぼ同一の時間帯で連続して放送される連続番組を予約する連続予約情報を含み、
前記電子番組データから取得される、録画予約対象となっている対象番組の前記タイトル情報中に前記連続番組の終了あるいは開始を示す所定の記号が含まれているか否かについて判定を行い、前記所定の記号が含まれていると判定された場合には、前記連続予約情報を自動的に破棄する番組改編検出手段を備える、放送番組記録再生装置。
【発明の詳細な説明】
【技術分野】
【０００１】
本発明はテレビジョンの放送番組の放送番組記録再生装置および放送番組予約録画方法に関し、特に、電子番組ガイド機能を搭載したＤＶＤ（デジタル・バーサタイル・ディスク）レコーダやハードディスクレコーダなどの放送番組記録再生装置および、当該装置での放送番組予約録画方法に関する。
【背景技術】
【０００２】
従来の放送番組記録再生装置では、特定の曜日の特定の時間、もしくは毎日の特定の時間に放送される連続番組を予約して自動的に記録する場合、記録したい番組が放送されるチャンネルや曜日、時間などの予約情報を、新聞や放送番組ガイド情報誌等の番組情報から取得して入力する方法や、放送波や外部の信号回線を通じて、ＥＰＧ（Electronic Program Guide）と呼ばれる電子番組ガイドから番組情報を取得し、ＥＰＧの番組情報に含まれる番組表から記録したい番組の予約情報を取得して入力する方法を採っていた。これは、連続番組に限らず、１回だけの番組についても同様であった。
【０００３】
しかし、これらの方法では、予約した番組の放送時間に変更があった場合は、利用者が手動で確認して変更しなければ、希望の番組が記録されないという問題があった。
【０００４】
この改善策として、例えば、特許文献１に開示されるように、予約時に記録したい番組の番組タイトルも予約情報として記録しておき、予約した時間から所定の時間範囲内にある番組について、新しい番組情報中の番組タイトルと、予約した番組の番組タイトルとの文字の比較を行うことで予約した番組の放送時間を特定する方法が考案されている。この方法を採ることで、予約した番組の放送時間が変更になった場合にも自動的に予約情報を変更することができる。
【０００５】
【特許文献１】特開２００３−４６９２１号公報（第８〜第９頁、図１）
【発明の開示】
【発明が解決しようとする課題】
【０００６】
上述した特許文献１では、予約した番組の番組タイトルと所定の時間範囲内にある番組情報中の番組タイトルとを比較し、文字の一致の程度によって予約した番組を特定するため、番組タイトルの大幅な変更等が行われた場合に、予約時間の前後に存在する似通った番組タイトルを持つ異なる番組を誤って録画してしまい、結果として希望の番組を録画できないという可能性があった。
【０００７】
また、番組の放送時間の変更を正確に追跡できたとしても、変更後の放送時間帯に別の録画予約がなされていた場合には、どちらかの番組の一部、もしくは全てが録画できなくなる可能性があった。
【０００８】
また、連続番組等に対して、「毎週」や「毎日」等の定期的な録画予約を行っている場合、当該連続番組等の放送終了により目的とする番組が存在しなくなった場合、使用者が手動での予約解除を行わない限り、同時間帯に新たに放送される番組、もしくは番組タイトルの似通った別の番組を誤って録画してしまい、ＤＶＤディスク等の記録媒体の記録容量を必要以上に消費してしまう問題があった。
【０００９】
本発明は上述のような問題を解消するためになされたもので、番組タイトルの大幅な変更にも対応して録画予約情報の自動更新が可能であるとともに、録画予約情報の自動変更に起因して予約時間が変更された場合でも、他の予約番組の録画に影響を与えず、また、連続番組等の定期的な録画予約において、当該連続番組の放送終了に際しては、録画予約を自動的に解消可能な放送番組記録再生装置および放送番組予約録画方法を提供することを目的とする。
【課題を解決するための手段】
【００１０】
本発明に係る請求項１記載の放送番組予約録画方法は、テレビジョンの放送番組の放送時間情報を有した電子番組データに基づいて、予め設定された録画予約情報を自動的に変更する放送番組予約録画方法であって、前記電子番組データから、録画予約の対象となっている対象番組の放送時間情報を取得するステップ(ａ)と、前記録画予約情報から、前記対象番組の予約時間情報を取得するステップ(ｂ)と、前記放送時間情報および前記予約時間情報とを比較するステップ(ｃ)と、前記ステップ(ｃ)での比較の結果、前記放送時間情報と前記予約時間情報とが一致していない場合には、前記放送時間情報に基づいて得られる放送時間帯および、前記予約時間情報に基づいて得られる予約時間帯の両方を含んで前記放送番組の録画を行うように、前記録画予約情報を自動的に変更するステップ(ｄ)とを含む。
【００１１】
本発明に係る請求項３記載の放送番組予約録画方法は、テレビジョンの放送番組の放送時間情報を有した電子番組データに基づいて、予め設定された録画予約情報を自動的に変更する放送番組予約録画方法であって、前記電子番組データから、録画予約の対象となっている放送局の異なる第１および第２の対象番組の、第１および第２の放送時間情報をそれぞれ取得するステップ(ａ)と、前記録画予約情報から、前記第１および第２の対象番組の、第１および第２の予約時間情報をそれぞれ取得するステップ(ｂ)と、前記第１および第２の放送時間情報と、前記第１および第２の予約時間情報とをそれぞれ比較するステップ(ｃ)と、前記ステップ(ｃ)での比較の結果、前記第１の放送時間情報と前記第１の予約時間情報との比較結果、および前記第２の放送時間情報と前記第２の予約時間情報との比較結果のうち、少なくとも一方が一致していない場合には、前記第１の放送時間情報に基づいて得られる第１の放送時間帯と、前記第２の放送時間情報に基づいて得られる第２の放送時間帯との比較を行うステップ(ｄ)と、前記ステップ(ｄ)での比較の結果、前記第１の放送時間帯と前記第２の放送時間帯とが少なくとも一部重複する場合、前記第１の放送時間帯および前記第２の放送時間帯に基づいて、それぞれ新たな第１の予約時間情報および新たな第２の予約時間情報を設定し、前記第１および第２の対象番組を、前記新たな第１および第２の予約時間情報に基づいて、互いに独立して動作が可能な第１および第２の復調／圧縮手段でそれぞれ録画することを決定するステップ(ｅ)とを含む。
【００１２】
本発明に係る請求項５記載の放送番組予約録画方法は、テレビジョンの放送番組の放送時間情報およびタイトル情報を有した電子番組データに基づいて、予め設定された録画予約情報を自動的に変更する放送番組予約録画方法であって、前記録画予約情報は、毎日もしくは特定の曜日にほぼ同一の時間帯で連続して放送される連続番組を予約する連続予約情報を含み、前記電子番組データから、録画予約の対象となっている対象番組の前記タイトル情報を取得するステップ(ａ)と、前記対象番組の前記タイトル情報中に前記連続番組の終了あるいは開始を示す所定の記号が含まれているか否かについて判定を行うステップ(ｂ)と、前記ステップ(ｂ)において、前記所定の記号が含まれていると判定された場合には、前記連続予約情報を自動的に破棄するステップ(ｃ)とを含む。
【００１３】
本発明に係る請求項７記載の放送番組記録再生装置は、テレビジョンの放送番組の放送時間情報を有した電子番組データに基づいて、予め設定された録画予約情報を自動的に変更する機能を有した放送番組記録再生装置であって、前記電子番組データから取得され、録画予約対象となっている対象番組の放送時間情報と、前記録画予約情報から取得され、前記対象番組の予約時間情報とを比較し、前記放送時間情報と前記予約時間情報とが一致していない場合には、前記放送時間情報に基づいて得られる放送時間帯および、前記予約時間情報に基づいて得られる予約時間帯の両方において前記放送番組の録画を行うように、前記録画予約情報を自動的に変更する録画予約更新手段を含む。
【００１４】
本発明に係る請求項８記載の放送番組記録再生装置は、テレビジョンの放送番組の放送時間情報を有した電子番組データに基づいて、予め設定された録画予約情報を自動的に変更する機能を有した放送番組記録再生装置であって、互いに独立して動作が可能な第１および第２の復調／圧縮手段と、前記電子番組データからそれぞれ取得される、録画予約対象となっている放送局の異なる第１および第２の対象番組の、第１および第２の放送時間情報と、前記録画予約情報からそれぞれ取得される、前記第１および第２の対象番組の、第１および第２の予約時間情報とをそれぞれ比較し、前記第１の放送時間情報と前記第１の予約時間情報との比較結果、および前記第２の放送時間情報と前記第２の予約時間情報との比較結果のうち、少なくとも一方が一致していない場合には、前記第１の放送時間情報に基づいて得られる第１の放送時間帯と、前記第２の放送時間情報に基づいて得られる第２の放送時間帯との比較を行い、前記第１の放送時間帯と前記第２の放送時間帯とが少なくとも一部重複する場合、前記第１の放送時間帯および前記第２の放送時間帯に基づいて、それぞれ新たな第１の予約時間情報および新たな第２の予約時間情報を設定し、前記第１および第２の対象番組を、前記新たな第１および第２の予約時間情報に基づいて、前記第１および第２の復調／圧縮手段を用いてそれぞれ録画することを決定する録画予約更新手段とを備えている。
【００１５】
本発明に係る請求項９記載の放送番組記録再生装置は、テレビジョンの放送番組の放送時間情報およびタイトル情報を有した電子番組データに基づいて、予め設定された録画予約情報を自動的に変更する機能を有した放送番組記録再生装置であって、前記録画予約情報は、毎日もしくは特定の曜日にほぼ同一の時間帯で連続して放送される連続番組を予約する連続予約情報を含み、前記電子番組データから取得される、録画予約対象となっている対象番組の前記タイトル情報中に前記連続番組の終了あるいは開始を示す所定の記号が含まれているか否かについて判定を行い、前記所定の記号が含まれていると判定された場合には、前記連続予約情報を自動的に破棄する番組改編検出手段を備えている。
【発明の効果】
【００１６】
本発明に係る放送番組記録再生装置および放送番組予約録画方法によれば、番組タイトルが大幅に変更された場合においても、録画予約情報を自動的に更新することができる。また、録画予約情報の自動更新に起因して予約時間が変更された場合でも、録画対象となっている番組を確実に録画することができる。
【発明を実施するための最良の形態】
【００１７】
＜Ａ．実施の形態１＞
以下、本発明に係る実施の形態１について、図１〜図４を用いて説明する。
【００１８】
＜Ａ−１．装置構成＞
図１は、本発明に係る実施の形態１の放送番組記録再生装置１００の構成を示すブロック図である。
【００１９】
図１に示すように放送番組記録再生装置１００は、外部アンテナ（図示せず）において受信したＲＦ（Radio Frequency）信号２０１を受け、記録用アナログ映像音声信号２０３を出力するチューナ２０２と、チューナ２０２に接続され、チューナ２０２から出力される記録用アナログ映像音声信号２０３を受けて、記録用デジタル映像音声信号２０５に変換して出力するＡＶ（Audio Visual）エンコーダ２０４と、ＡＶエンコーダ２０４に接続されるとともに蓄積媒体２０７にも接続されるストリームコントローラ２０６と、ストリームコントローラ２０６から出力される再生用デジタル映像音声信号２０８を受けて、再生用アナログ映像音声信号２１０に変換して出力するＡＶデコーダ２０９と、記録用アナログ映像音声信号２０３から番組データ２１２を抽出する番組データ抽出装置２１１と、番組データ抽出装置２１１で抽出された番組データ２１２を受けるとともに、外部の予約入力手段２１５から入力される予約指示に基づいて、番組予約を実行するマイクロコンピュータ２１３と、録画予約情報を記憶して、適宜、マイクロコンピュータ２１３に与える録画予約記憶手段２１６とを備えている。なお、マイクロコンピュータ２１３は、録画予約更新手段２１７を有し、番組情報が変更された場合には、番組データ２１２に基づいて、録画予約情報を自動的に変更する機能（追跡録画機能）や、ＡＶデコーダ２０９に内蔵されるＯＳＤ（On Screen Display）装置を制御して番組データ２１２をディスプレイ上に表示する機能を有している。なお、録画予約更新手段２１７は、マイクロコンピュータ２１３内の演算処理装置や、内部メモリ等を使用して構成され、録画予約更新手段２１７の機能は、マイクロコンピュータ２１３上でコンピュータプログラム実行することにより実現することができる。
【００２０】
＜Ａ−２．装置動作＞
次に、図２〜図４を用いて放送番組記録再生装置１００の動作について説明する。
図２は、放送番組記録再生装置１００による予約録画動作を模式的に示すタイムチャートであり、図３および図４は、放送番組記録再生装置１００による予約録画動作を説明するフローチャートである。
【００２１】
図２においては、録画予約時点での番組情報と、録画予約後に変更された番組情報と、録画結果とを併記しており、一例として、録画予約の対象となっている対象番組として第１の番組１０１が存在するものとし、当該第１の番組１０１は、録画予約時点での番組情報として、「新春特別番組」という番組タイトルと、放送開始時間２０：００時、放送終了時間２２：００時という放送時間情報を有しているものとする。
【００２２】
番組を構成する映像音声情報の記録時には、外部アンテナ（図示せず）で受信されたＲＦ信号２０１をチューナ２０２で受け、チューナ２０２において記録用アナログ映像音声信号２０３に変換する。
【００２３】
記録用アナログ映像音声信号２０３は、ＡＶエンコーダ２０４により、ＭＰＥＧ（Moving Pictures Experts Group）等のデータ圧縮を受けて記録用デジタル映像音声信号２０５に変換され、ストリームコントローラ２０６により、ＤＶＤやハードディスクドライブ（ＨＤＤ）等の蓄積媒体２０７に記録される。ストリームコントローラ２０６は、メモリを有し、データストリームとして与えられる記録用デジタル映像音声信号２０５を一旦蓄積し、ある程度蓄積された段階で蓄積媒体２０７に転送する機能や、蓄積媒体２０７に記録されたデータを読み出し、ＡＶデコーダ２０９に転送する機能を有している。
【００２４】
一方、記録された番組の再生時には、ストリームコントローラ２０６により蓄積媒体２０７から、再生用デジタル映像音声信号２０８として読み出し、ＡＶデコーダ２０９で再生用アナログ映像音声信号２１０に変換し、テレビジョン受像機（ＴＶ）のディスプレイ等の表示装置（図示せず）に送ることで記録済み番組の視聴を行う。
【００２５】
なお、放送番組記録再生装置１００では、番組を記録しながら表示装置により視聴することも可能であり、その場合は、記録用デジタル映像音声信号２０５がストリームコントローラ２０６を介して蓄積媒体２０７に与えられると同時に、ＡＶデコーダ２０９にも与えられ、再生用アナログ映像音声信号２１０に変換されて表示装置に与えられることになる。
【００２６】
記録用アナログ映像音声信号２０３に含まれる番組情報は、放送日時に関する情報（放送時間情報）や番組タイトルに関する情報（タイトル情報）、また放送局情報（チャンネル情報）を有し、番組データ抽出装置２１１により番組データ２１２として抽出され、マイクロコンピュータ２１３に送られて保存される。
【００２７】
マイクロコンピュータ２１３は、番組データ２１２を、例えばＡＶデコーダ２０９に内蔵されたＯＳＤ装置２１４を使用して、ＴＶ等の表示装置に表示するなどして使用者に番組表の形で提供する。
【００２８】
使用者は、画面上に表示された番組表から、リモートコントローラ等で構成される予約入力手段２１５を使用して録画予約したい番組を選択することで、マイクロコンピュータ２１３に対して録画予約を指示する。
【００２９】
マイクロコンピュータ２１３は、不揮発性メモリ等で構成される録画予約記憶手段２１６に録画予約情報を保存しておき、録画予約情報で指定される日時になったときに、チューナ２０２、ＡＶエンコーダ２０４およびストリームコントローラ２０６を直接もしくは間接的に制御して、蓄積媒体２０７に放送番組の記録を行う。
【００３０】
一般的に番組データ２１２には、１週間程度先までの番組情報が格納されており、使用者は放送日の数日前から予約を行うことができる。また、番組データ２１２は、１日に数回放送局から送信され、かつ内容も更新される。
【００３１】
番組データ２１２が更新された場合、当該更新データに基づいて録画予約記憶手段２１６に保存された録画予約情報が、録画予約更新手段２１７によって自動的に更新される。そして、録画予約情報が更新された場合には、更新された録画予約情報に基づいて放送番組の記録が実行される。以下、番組データ２１２が更新された場合の録画予約更新手段２１７動作について説明する。
【００３２】
＜Ａ−２−１．予約番組の放送時間帯が変更された場合の動作＞
まず、既に予約した番組の放送時間帯が前後に移動するように番組データ２１２が更新された場合の録画予約更新手段２１７の動作について説明する。
【００３３】
ここでは、図２に示すように、使用者が上記番組表に基づいて第１の番組１０１を録画予約したものとする。
【００３４】
また、先に説明したように、番組情報には放送開始時間および放送終了時間だけでなく、「新春特別番組」という番組タイトルを有しており、録画予約に際しては番組タイトルも入力するものとし、録画予約記憶手段２１６には第１の番組１０１のタイトル文字列（この場合は「新春特別番組」）が保存されるものとする。
【００３５】
番組データ２１２が更新された場合、マイクロコンピュータ２１３内の録画予約更新手段２１７は、新しい番組データ２１２を取得した時点で、録画予約記憶手段２１６に保存されたタイトル文字列を用いて、第１の番組１０１を新しい番組データ２１２の中から検出する。
【００３６】
そして、検出された第１の番組１０１の放送開始時間および放送終了時間が、録画予約記憶手段２１６に保存された第１の番組１０１の予約録画開始時間および予約録画終了時間に一致しているか否かを判定し、一致していない場合には、放送時間帯が変更されたものと判断して、検出された第１の番組１０１の放送開始時間および放送終了時間を、変更後番組開始時間および変更後番組終了時間として使用する。
【００３７】
そして、新しい予約録画開始時間および新しい予約録画終了時間の決定においては、録画予約記憶手段２１６に保存された予約時間情報に含まれる予約録画開始時間および予約録画終了時間の情報も、上述した変更後番組開始時間および変更後番組終了時間の情報と併せて使用することが本実施の形態１の特徴となるが、詳細な処理については、後に、図３および図４を用いて説明する。
【００３８】
＜Ａ−２−２．予約番組の番組タイトルが変更された場合の動作＞
番組データ２１２の更新のパターンとしては、既に予約した番組の番組タイトルが変更されるパターンがある。
【００３９】
ここでは、録画予約後に変更された番組情報として図２に示すように、第１の番組１０１の番組タイトルが「皇室のお正月」に変更されたものと仮定する。なお、変更後の番組を便宜的に第２の番組１０２と呼称して第１の番組１０１と区別する。
【００４０】
上述したように、番組のタイトル文字列を用いて、新しい番組データ２１２の中から新しい放送時間情報を取得する方法では、番組タイトルが変更されたような場合には追従することができない。それどころか、図２に録画予約後の番組情報として示すように、番組タイトルの文字列が似通った第３の番組１０３、例えば番組タイトル「新春漫才」が、録画予約記憶手段２１６に保存された予約時間帯の近傍に存在する場合、録画予約更新手段２１７は、第３の番組１０３を第１の番組１０１として誤って検出し、その放送時間帯である１９：００時〜２０：００時を変更後の予約時間帯として録画を行い、本来録画すべき第２の番組１０２を録画できない可能性がある。
【００４１】
また、番組のタイトル文字列を用いて新しい番組データ２１２の中から新しい放送時間情報を取得する方法以外に、番組それぞれに付与された番組ＩＤ番号を用いて新しい番組データ２１２の中から新しい放送時間情報を取得する方法もある。
【００４２】
しかし、この方法では、番組タイトルの文字列が似通った第３の番組１０３を第１の番組１０１として検出することはないが、番組ＩＤ番号が必ずしも各番組で固有であるという保証はなく、別の番組を誤って検出するという可能性を有している。また、連続番組では、放送回ごとに割り振られる番組ＩＤ番号が異なる可能性があるので、番組ＩＤ番号を使用して放送時間情報を更新する方法では、使用者が放送回ごとに番組を選択しなおして再度番組ＩＤ番号を設定しなければならないなど、使用者の負担が増え、また、別の番組を誤って検出するという可能性も有している。
【００４３】
そこで、録画予約更新手段２１７においては、予約した番組の放送時間帯が前後に移動するように番組データ２１２が更新された場合や、番組タイトルが変更され、別の番組を誤って検出した場合のように、録画予約記憶手段２１６中の予約時間情報を更新するような状況が生じた場合には、予約時間情報に含まれる予約録画開始時間および予約録画終了時間の情報を使用して、新しい予約録画開始時間および新しい予約録画終了時間を決定する機能を有している。
【００４４】
例えば、第１の番組１０１の番組タイトルが「皇室のお正月」に変更された場合を例に採れば、録画予約更新手段２１７が、番組タイトルの文字列が似通った第３の番組１０３を検出し、当該第３の番組１０３の放送時間情報（１９：００〜２０：００）を新しい予約時間情報として自動的に録画予約記憶手段２１６に保存するが、このときに、当初の録画予約時点での予約時間情報も有効とし、新しい予約時間情報と古い予約時間情報の両方に基づいて録画を行う。
【００４５】
すなわち、図２に示す例では、１９：００から２２：００までが有効な予約録画時間として扱われ、この時間帯で番組の録画を行う。
【００４６】
従って、図２において録画結果として示すように、第３の番組１０３および第２の番組１０２が、それぞれ第１の録画済み番組１０４および第２の録画済み番組１０５として蓄積媒体２０７に記録されることになる。
【００４７】
以下、図１および図２を参照しつつ、図３および図４に示すフローチャートを用いて、予約番組の予約時間情報を更新する場合の、録画予約更新手段２１７の動作についてさらに説明する。
【００４８】
図３は、録画予約更新手段２１７の動作全体を説明するフローチャートであり、番組データ２１２が更新された場合、録画予約更新手段２１７は、当該新しい番組データ２１２に基づいて新しい番組情報を取得する（ステップＳ１０１）。
【００４９】
そして、録画予約記憶手段２１６に保存された第１の番組１０１のタイトル文字列を用いて、新しい番組情報の中から第１の番組１０１を特定し、それに関する新しい放送時間情報を検出する（ステップＳ１０２）。
【００５０】
その後、ステップＳ１０３において、録画予約記憶手段２１６に既に保存されている第１の番組１０１に関する予約時間情報を読み出す。
【００５１】
そして、ステップＳ１０４において、ステップＳ１０２で検出した新しい放送時間情報と、ステップＳ１０３で読み出した予約時間情報を比較し、両者が一致しているか否かを判定する。
【００５２】
ステップＳ１０４において比較結果が一致していると判定された場合には、放送時間情報に変更がないものと判断してステップＳ１０６に進み、予約録画待機状態に移行する。
【００５３】
一方、ステップＳ１０４において比較結果が一致していないと判定された場合、すなわち、予約番組の放送時間帯が変更された場合あるいは番組タイトルが変更された場合には、放送時間情報に変更があったものと判断してステップＳ１０５に進み、番組予約結合処理を行う。そして、当該結合処理を実施した後には、ステップＳ１０６に進んで予約録画待機状態に移行する。なお、番組予約結合処理とは、録画予約後に番組情報が変更された場合に、既に設定済みの録画予約情報および変更後の番組情報の両方を使用して自動的に新しい録画予約情報を設定する処理である。なお、ステップＳ１０１〜Ｓ１０４の処理は、放送時間情報の変更に合わせて、予約情報を自動的に変更して録画を行う追跡録画が設定されている番組に対して実行される。なお、追跡録画を行うか否かは使用者が録画予約の設定時に設定することが可能である。
【００５４】
図４は、ステップＳ１０５における番組予約結合処理を具体的に説明するフローチャートである。
【００５５】
番組予約結合処理を開始すると、新しい放送時間情報および予約時間情報から、それぞれ第１の番組１０１に関する時間帯を抽出し、それぞれ変更後時間帯および変更前時間帯とする（ステップＳ１１１）。
【００５６】
この処理には、新しい放送時間情報に含まれる番組開始時間と番組終了時間の情報に基づいて変更後時間帯を抽出し、また、予約時間情報に含まれる予約録画開始時間と予約録画終了時間の情報に基づいて変更前時間帯を抽出する処理が含まれる。なお、番組情報には、番組開始時間あるいは番組終了時間の一方しか含まず、代わりに放送時間長の情報を含む場合もあり、その場合には、番組開始時間と放送時間長、あるいは番組終了時間と放送時間長とを組み合わせて放送時間帯を得ることができる。
【００５７】
そして、ステップＳ１１２において、変更前時間帯と変更後時間帯との比較を行い、両者に重なりがあるか否かを判定する。
【００５８】
ステップＳ１１２において時間帯に重なりがある、すなわち時間変更が小さいと判定された場合はステップＳ１１７に進む。
【００５９】
ステップＳ１１７では、予約時間情報に含まれる予約録画開始時間、すなわち変更前番組開始時間と、新しい放送時間情報に含まれる番組開始時間、すなわち変更後番組開始時間とを比較し、どちらが早いかについて判定を行う。
【００６０】
ステップＳ１１７において変更前番組開始時間の方が早いと判定された場合は、ステップＳ１１８に進んで、新しい予約録画開始時間として変更前番組開始時間を設定し、ステップＳ１１９に進む。
【００６１】
一方、ステップＳ１１７において変更後番組開始時間の方が早いと判定された場合は、ステップＳ１２１に進んで、新しい予約録画開始時間として変更後番組開始時間を設定し、ステップＳ１１９に進む。
【００６２】
ステップＳ１１９では、予約時間情報に含まれる録画終了時間、すなわち変更前番組終了時間と、新しい放送時間情報に含まれる番組終了時間、すなわち変更後番組終了時間とを比較し、どちらが遅いかについて判定を行う。
【００６３】
ステップＳ１１９において変更前番組終了時間の方が遅いと判定された場合は、ステップＳ１２０に進んで、新しい予約録画終了時間として変更前番組終了時間を設定し、ステップＳ１３０に進む。
【００６４】
一方、ステップＳ１１９において変更後番組終了時間の方が遅いと判定された場合は、ステップＳ１２２に進んで、新しい予約録画終了時間として変更後番組終了時間を設定し、ステップＳ１３０に進む。
【００６５】
なお、上述したステップＳ１１７〜Ｓ１２２の処理は、結果的に予約時間帯を拡張することになるので、時間帯拡張処理と言うことができ、予約した番組の放送時間帯が前後に移動するように番組データ２１２が更新された場合には、当該処理が実行される可能性が高い。
【００６６】
なお、以上の説明では、番組開始時間および番組終了時間の両方が変更された場合について説明したが、番組開始時間および番組終了時間の一方だけが変更される場合もある。例えば、番組開始時間のみが変更された場合は、ステップＳ１１９における変更前と変更後の番組終了時間の比較結果は同じになる。この場合は、変更前あるいは変更後の番組終了時間のどちらかを新しい予約録画終了時間として設定することになる。
【００６７】
また、番組終了時間のみが変更された場合は、ステップＳ１１７における変更前と変更後の番組開始時間の比較結果は同じになる。この場合は、変更前あるいは変更後の番組開始時間のどちらかを新しい予約録画開始時間として設定することになる。
【００６８】
また、ステップＳ１１２において時間帯に重なりがない、すなわち時間変更が大きいと判定された場合はステップＳ１１３に進む。
【００６９】
ステップＳ１１３では、第１の予約録画開始時間として予約時間情報に含まれる予約録画開始時間、すなわち変更前番組開始時間を設定し、ステップＳ１１４に進む。
【００７０】
ステップＳ１１４では、第１の予約録画終了時間として予約時間情報に含まれる録画終了時間、すなわち変更前番組終了時間を設定し、ステップＳ１１５に進む。
【００７１】
なお、ステップＳ１１３およびＳ１１４の処理は、録画予約記憶手段２１６に保存された予約時間情報に含まれる予約録画開始時間および予約録画終了時間を、そのまま維持する処理と等価である。
【００７２】
ステップＳ１１５では、第２の予約録画開始時間として新しい放送時間情報に含まれる番組開始時間、すなわち変更後番組開始時間を設定し、録画予約記憶手段２１６に保存して、ステップＳ１１６に進む。
【００７３】
ステップＳ１１６では、第２の予約録画終了時間として新しい放送時間情報に含まれる番組終了時間、すなわち変更後番組終了時間を設定し、録画予約記憶手段２１６に保存して、ステップＳ１３０に進む。
【００７４】
なお、上述したステップＳ１１３〜Ｓ１１６の処理は、結果的に予約時間帯が２つに分かれて存在することになるので、時間帯分割処理と言うことができ、番組タイトルが変更されるように番組データ２１２が更新され、別の番組を誤って検出した場合には、当該処理が実行される可能性が高い。なお、図２に示すように、２つの時間帯が連続する場合もあることは言うまでもない。
【００７５】
ステップＳ１３０では、時間帯拡張処理において設定された新しい予約録画開始時間および新しい予約録画終了時間を、新しい予約時間情報として録画予約記憶手段２１６に保存するか、あるいは、時間帯分割処理において設定された第２の予約録画開始時間および第２の予約録画終了時間を、新しい予約時間情報として録画予約記憶手段２１６に保存して、一連の番組予約結合処理を終了する。
【００７６】
このように、時間帯拡張処理あるいは時間帯分割処理を行うことで、新しく設定された予約時間帯には、当初に設定されていた予約時間帯を確実に含ませることができる。
【００７７】
なお、時間帯拡張処理において設定された新しい予約録画開始時間および新しい予約録画終了時間を保存する場合は、録画予約記憶手段２１６に既に保存されている予約時間情報に含まれる予約録画開始時間および予約録画終了時間は、変更されることになる。
【００７８】
また、以上の説明では、何らかの理由で録画予約記憶手段２１６に保存された予約時間情報を更新するような状況が生じた場合を前提として説明したが、新しい番組情報において番組タイトルは変更されたものの、放送時間の変更はなく、また、録画予約記憶手段２１６に保存された予約時間帯の近傍にタイトルの文字列が似通った番組も存在しない場合には、録画予約記憶手段２１６に録画予約時に保存された予約時間情報に含まれる予約録画開始時間および予約録画終了時間の情報に従って録画が実行されることとなる。
【００７９】
具体的には、図３に示すステップＳ１０２において、録画予約記憶手段２１６に保存された第１の番組１０１のタイトル文字列を用いて、新しい番組情報の中から第１の番組１０１に関する新しい放送時間情報を検出しようとしても、新しい番組情報では番組タイトルが変更されているので新しい放送時間情報を検出できない。その場合は、検出不能という結果を有してステップＳ１０３に進み、ステップＳ１０３において、録画予約記憶手段２１６に既に保存されている第１の番組１０１に関する予約時間情報を読み出す。
【００８０】
この場合、新しい放送時間情報が検出されていないので、ステップＳ１０４においてはステップＳ１０３で読み出した予約時間情報との比較はできないが、この場合は、比較結果が一致しているものとして処理し、放送時間情報に変更がないものと判断してステップＳ１０６に進み、予約録画待機状態に移行する。
【００８１】
この結果、録画予約記憶手段２１６に録画予約時に保存された予約時間情報に含まれる予約録画開始時間および予約録画終了時間の情報に従って録画が実行されることとなる。
【００８２】
＜Ａ−３．効果＞
以上説明したように、実施の形態１の放送番組記録再生装置１００においては、放送時間情報と予約時間情報とが一致せず、時間変更があったと判断された場合には、放送時間情報に基づいて得られる放送時間帯および、予約時間情報に基づいて得られる予約時間帯の両方において放送番組の録画を行うように、前記録画予約情報を自動的に変更するので、対象番組の番組タイトルが変更され、放送時間は変更になっていないような場合に、放送時間が変更されたものと誤認されたような場合でも、対象番組を録画できる。
【００８３】
より具体的には、新しく設定された予約時間帯には、当初に設定されていた予約時間帯が確実に含まれるように録画予約更新手段２１７により録画予約情報の自動更新を行うので、番組予約後に、予約番組のタイトルが大幅に変更され、放送時間は変更になっていないような場合でも、目的の番組を確実に録画できる。
【００８４】
なお、以上の説明においては、タイトル文字列を用いて、新しい番組情報の中から録画対象番組を特定し、それに関する新しい放送時間情報を検出するものとしたが、新しい番組情報の中から録画対象番組を特定できる方法であれば、タイトル文字列を用いる方法に限定されるものではない。
【００８５】
＜Ｂ．実施の形態２＞
以下、本発明に係る実施の形態２について、図５〜図７を用いて説明する。
【００８６】
＜Ｂ−１．装置構成＞
図５は、本発明に係る実施の形態２の放送番組記録再生装置２００の構成を示すブロック図である。
【００８７】
図２に示すように放送番組記録再生装置２００は、図１を用いて説明した放送番組記録再生装置１００の構成に加えて、以下の構成をさらに備えている。
【００８８】
すなわち、外部アンテナ（図示せず）において受信したＲＦ信号２０１を受け、記録用アナログ映像音声信号４０３を出力するチューナ４０２と、チューナ４０２に接続され、チューナ４０２から出力される記録用アナログ映像音声信号４０３を受けて、記録用デジタル映像音声信号４０５に変換して出力するＡＶエンコーダ４０４とをさらに備え、ＡＶエンコーダ４０４が出力する記録用デジタル映像音声信号４０５は、ストリームコントローラ２０６に与えられる構成となっている。また、マイクロコンピュータ２１３は、録画予約更新手段４１７を有し、番組情報が変更された場合には、番組データ２１２に基づいて、録画予約情報を自動的に変更する機能を有している。
【００８９】
なお、録画予約更新手段４１７は、マイクロコンピュータ２１３内の演算処理装置や、内部メモリ等を使用して構成され、録画予約更新手段４１７の機能は、マイクロコンピュータ２１３上でコンピュータプログラム実行することにより実現することができる。
【００９０】
その他、図１に示した放送番組記録再生装置１００と同一の構成については同一の符号を付し、重複する説明は省略する。
【００９１】
＜Ｂ−２．装置動作＞
次に、図６および図７を用いて放送番組記録再生装置２００の動作について説明する。
図６は、放送番組記録再生装置２００による予約録画動作を模式的に示すタイムチャートであり、図６は、放送番組記録再生装置２００による予約録画動作を説明するフローチャートである。
【００９２】
図６においては、録画予約時点での番組情報と、録画予約後に変更された番組情報と、録画結果とを併記しており、一例として、録画予約の対象となっている対象番組として第１の番組３０１および第２の番組３０２が存在するものとし、第１の番組３０１は、録画予約時点での番組情報として、「新春特別番組」という番組タイトルと、チャンネル２（ｃｈ２）で放送されるというチャンネル情報と、放送開始時間２０：００時、放送終了時間２２：００時という放送時間情報とを有し、第２の番組３０２は、録画予約時点での番組情報として、「ニュース２２時」という番組タイトルと、チャンネル４（ｃｈ４）で放送されるというチャンネル情報と、放送開始時間２２：００時、放送終了時間２４：００時という放送時間情報とを有しているものとする。
【００９３】
番組を構成する映像音声情報の記録時には、外部アンテナ（図示せず）で受信されたＲＦ信号２０１をチューナ２０２および４０２で受け、チューナ２０２および４０４において、それぞれ記録用アナログ映像音声信号２０３および４０３に変換する。
【００９４】
記録用アナログ映像音声信号２０３および４０３は、それぞれＡＶエンコーダ２０４および４０４により、ＭＰＥＧ等のデータ圧縮を受けて、それぞれ記録用デジタル映像音声信号２０５および４０５に変換され、ストリームコントローラ２０６により、ＤＶＤやハードディスクドライブ（ＨＤＤ）等の蓄積媒体２０７に記録される。なお、ストリームコントローラ２０６は、ＡＶエンコーダ２０４および４０４から同時に出力されるデータストリームを一旦、蓄積し、ある程度蓄積された段階で蓄積媒体２０７に転送することができる。
【００９５】
このように、放送番組記録再生装置２００では、同時に２つの異なる映像音声信号すなわち放送番組を録画することが可能になっている。
【００９６】
一方、記録された番組の再生時には、ストリームコントローラ２０６により蓄積媒体２０７から、再生用デジタル映像音声信号２０８として読み出し、ＡＶデコーダ２０９で再生用アナログ映像音声信号２１０に変換し、テレビジョン受像機（ＴＶ）のディスプレイ等の表示装置（図示せず）に送ることで記録済み番組の視聴を行う。
【００９７】
実施の形態１において説明したように、記録用アナログ映像音声信号２０３に含まれる番組情報は、番組データ抽出装置２１１により番組データ２１２として抽出され、番組データ２１２が更新された場合、当該更新データに基づいて録画予約記憶手段２１６に保存された録画予約情報が、録画予約更新手段４１７によって自動的に更新される。
【００９８】
以下、番組データ２１２が更新された場合の録画予約更新手段４１７の動作について説明する。
【００９９】
＜Ｂ−２−１．予約番組の放送時間帯が変更された場合の動作＞
まず、録画予約更新手段４１７の動作の説明に先だって、実施の形態１の放送番組記録再生装置１００では対応できない状況について説明する。
【０１００】
ここでは、図６に示すように、使用者が番組データ２１２に含まれる番組表に基づいてチャンネル２の第１の番組３０１（番組タイトルは「新春特別番組」）と、チャンネル４の第２の番組３０２（番組タイトルは「ニュース２２時」）とを録画予約したものとする。
【０１０１】
なお、第１の番組３０１の放送開始時間は２０：００時、放送終了時間は２２：００時であり、第２の番組３０２の放送開始時間は２２：００時、放送終了時間は２４：００時であり、これらの時間に従ってそれぞれの番組で、予約録画開始時間および予約録画終了時間を設定している。
【０１０２】
ここで、上述した録画予約後に番組データ２１２が変更され、録画予約後に変更された番組情報として図６に示すように、第１の番組３０１は、放送開始時間が２１：００、放送終了時間が２３：００に変更され、第３の番組３０３になったものとする。
【０１０３】
これは放送時間帯がずれたことを意味しており、実施の形態１の録画予約更新手段２１７では、予約時間情報を更新するような状況が生じた場合の処理として、図４においてステップＳ１１７〜Ｓ１２２の処理として説明した時間帯拡張処理を行い、結果として、新しい予約録画開始時間として２０：００が設定され、新しい予約録画終了時間２３：００が設定されることになる。
【０１０４】
しかし、この処理を行うと、第２の番組３０２の放送時間帯と重なってしまい、両方の番組を全て録画することはできない、第２の番組３０２の前半部分、もしくは第３の番組の後半部分は録画できないこととなってしまう。
【０１０５】
また、単純に放送時間の移動に追従して、予約録画時間を変更するだけの従来の方式を採用する場合でも、第１の番組３０１および第２の番組３０２の両方を全て録画することはできないことは言うまでもない。
【０１０６】
しかし、実施の形態２の放送番組記録再生装置２００においては、録画予約した番組の放送時間が変更になり、他の録画予約と時間帯が重なった場合でも、両方の番組を全て録画することができる。
【０１０７】
すなわち、放送番組記録再生装置２００においては、第１の復調／圧縮手段としてチューナ２０２およびＡＶエンコーダ２０４を有し、第２の復調／圧縮手段としてチューナ４０２およびＡＶエンコーダ４０４を有しており、放送時間の変更により、２つの番組の放送時間帯が重なるような状況下においては、それぞれ別個の復調／圧縮手段を介して録画を行うことで、両方の番組を全て録画することができ、録画予約更新手段４１７は、録画予約更新手段２１７の機能に加えて、第１および第２の復調／圧縮手段への録画予約情報の振り分けを行う機能を有している。なお、第１および第２の復調／圧縮手段は、それぞれ独立して動作可能であることは言うまでもない。
【０１０８】
例えば、図６において録画予約後に変更された番組情報として示すように、第１の番組３０１は、放送開始時間が２１：００、放送終了時間が２３：００に変更され、第３の番組３０３になった場合、２１：００時から２３：００時までは、チューナ２０２およびＡＶエンコーダ２０４を介して第３の番組３０３を録画し、２２：００時から２４：００時までは、チューナ４０２とＡＶエンコーダ４０４を介して第２の番組３０２を録画する。
【０１０９】
従って、図６において録画結果（１）および（２）として示すように、第３の番組３０３および第２の番組３０２が、それぞれ第１の録画済み番組３０４および第２の録画済み番組３０５として蓄積媒体２０７に記録されることになる。
【０１１０】
以下、図５および図６を参照しつつ、図７に示すフローチャートを用いて、録画予約情報の振り分けを行う場合の、録画予約更新手段４１７の動作についてさらに説明する。
【０１１１】
図７は、録画予約更新手段４１７の動作全体を説明するフローチャートであり、番組データ２１２が更新された場合、録画予約更新手段４１７は、当該新しい番組データ２１２に基づいて新しい番組情報を取得する（ステップＳ２０１）。
【０１１２】
そして、録画予約記憶手段２１６に保存された第１の番組３０１のタイトル文字列を用いて、新しい番組情報の中から第１の番組３０１を特定し、それに関する新しい放送時間情報、すなわち第３の番組３０３の放送時間情報を検出する（ステップＳ２０２）。
【０１１３】
その後、ステップＳ２０３において、録画予約記憶手段２１６に既に保存されている第１の番組３０１に関する予約時間情報を読み出す。
【０１１４】
そして、ステップＳ２０４において、ステップＳ２０２で検出した新しい放送時間情報と、ステップＳ２０３で読み出した予約時間情報を比較し、両者が一致しているか否かを判定する。
【０１１５】
ステップＳ２０４において比較結果が一致していると判定された場合には、放送時間情報に変更がないものと判断してステップＳ２０８に進み、予約録画待機状態に移行する。
【０１１６】
一方、ステップＳ２０４において比較結果が一致していないと判定された場合には、放送時間情報に変更があったものと判断してステップＳ２０５に進む。
【０１１７】
なお、ステップＳ２０１〜Ｓ２０４の処理は、放送時間情報の変更に合わせて、予約情報を自動的に変更して録画を行う追跡録画が設定されている番組に対して実行される。なお、追跡録画を行うか否かは使用者が録画予約の設定時に設定することが可能である。
【０１１８】
ステップＳ２０５では、ステップＳ２０２で検出した第３の番組３０３の放送時間情報と、別途に録画予約された第２の番組３０２の予約時間情報（第２の番組３０２は時間変更されていないことが確認済み）とを比較し、第３の番組３０３の放送時間帯と第２の番組３０２の予約時間帯との重なりの有無を判定する。
【０１１９】
なお、ステップＳ２０５での比較対象は、放送時間情報に変更があった予約番組から、予め定めた所定の時間範囲内にある他の予約番組を対象としても良い。
【０１２０】
そして、ステップＳ２０５において、第３の番組３０３の放送時間帯と第２の番組３０２の予約時間帯とが重ならないと判定された場合は、ステップＳ２０７に進んで、第１の番組３０１の予約時間情報を第３の番組３０３の放送時間情報に合わせて変更する録画予約変更処理を行う。
【０１２１】
この録画予約変更処理により、放送時間帯は重ならないが放送時間の変更があった番組を確実に録画することができる。
【０１２２】
当該録画予約変更処理を実施した後には、ステップＳ２０８に進んで予約録画待機状態に移行する。
【０１２３】
なお、上述の説明では、ステップＳ２０７の録画予約変更処理は、単純に放送時間の移動に追従して予約録画時間を変更するだけの処理として説明したが、実施の形態１において図４を用いて説明した番組予約結合処理を行っても良いことは言うまでもない。
【０１２４】
一方、ステップＳ２０５において、第３の番組３０３の放送時間帯と第２の番組３０２の予約時間帯とが一部でも重なると判定された場合は、ステップＳ２０６に進んで、録画予約情報の振り分け処理（予約振り分け処理と呼称）を行う。
【０１２５】
ステップＳ２０８の予約振り分け処理は、ステップＳ２０２で検出された第３の番組３０３の放送開始時間および放送終了時間を、それぞれ新しい予約録画開始時間および予約録画終了時間として設定し、録画予約記憶手段２１６に保存するとともに、第１の復調／圧縮手段であるチューナ２０２およびＡＶエンコーダ２０４を介して第３の番組３０３を録画することを決定する。
【０１２６】
また、第３の番組３０３と重なる第２の番組３０２については、放送時間情報の変更がないので、録画予約記憶手段２１６に既に保存されている当初の予約時間情報を変更することなく、第２の復調／圧縮手段であるチューナ４０２およびＡＶエンコーダ４０４を介して第２の番組３０２を録画することを決定する。
【０１２７】
なお、ステップＳ２０４において第２の番組３０２についても放送時間情報の変更があると判定された場合は、第２の番組３０２に対応する変更後の番組の放送時間帯と、第３の番組３０３の放送時間帯との重なりの有無をステップＳ２０５において判定し、両者が一部でも重なると判定された場合は、ステップＳ２０６に進んで、予約振り分け処理を実行すれば良い。
【０１２８】
なお、ステップＳ２０６において決定された第１および第２の復調／圧縮手段に対する、第３の番組３０３および第２の番組の振り分けに関する情報も、予約情報の一部として録画予約記憶手段２１６に保存される。
【０１２９】
そして、録画予約変更処理を実施した後には、ステップＳ２０８に進んで予約録画待機状態に移行する。
【０１３０】
＜Ｂ−３．効果＞
以上説明したように、実施の形態２の放送番組記録再生装置２００においては、第１の放送時間帯および第２の放送時間帯に基づいて、それぞれ新たな第１の予約時間情報および新たな第２の予約時間情報を設定し、第１および第２の対象番組を、新たな第１および第２の予約時間情報に基づいて、互いに独立して動作が可能な第１および第２の復調／圧縮手段を介してそれぞれ録画するので、放送時間の変更により、第１および第２の放送時間帯が重なるような状況下においても、第１および第２の対象番組の両方を全て録画することができ、使用者の希望通りの番組を録画することが可能となる。
【０１３１】
より具体的には、独立して動作が可能な第１および第２の復調／圧縮手段を備え、放送時間の変更により、録画予約した放送局が異なる２つの番組の放送時間帯が重なるような状況下においては、録画予約更新手段４１７により第１および第２の復調／圧縮手段への録画予約情報の振り分けを行うことで、両方の番組を全て録画することができ、使用者の希望通りの番組を録画することが可能となる。
【０１３２】
近年、複数の復調／圧縮手段を備えたＤＶＤレコーダ等の放送番組記録再生装置が既に存在するため、このような機器に、本発明を導入する場合には、コストアップはほとんど発生しない。
【０１３３】
また以上説明した実施の形態２では、放送番組記録再生装置２００に第１および第２の復調／圧縮手段を備えた構成を開示したが、内蔵する復調／圧縮手段は第１の復調／圧縮手段１つだけの構成であっても、ＬＡＮ（Local Area Network）等の通信手段により接続された、外部の放送番組記録再生装置内の復調／圧縮手段を第２の復調／圧縮手段として使用し、当該外部の放送番組記録再生装置内の蓄積媒体に録画を行う形態であっても、同様の効果を奏する。
【０１３４】
＜Ｃ．実施の形態３＞
以下、本発明に係る実施の形態３について、図８〜図１０を用いて説明する。
【０１３５】
＜Ｃ−１．装置構成＞
図８は、本発明に係る実施の形態３の放送番組記録再生装置３００の構成を示すブロック図である。
【０１３６】
図８に示すように放送番組記録再生装置３００は、図１を用いて説明した放送番組記録再生装置１００を構成するマイクロコンピュータ２１３に、さらに番組改編検出手段６１４を内蔵した構成となっている。
【０１３７】
なお、番組改編検出手段６１４は、マイクロコンピュータ２１３内の演算処理装置や、内部メモリ等を使用して構成され、番組改編検出手段６１４の機能は、マイクロコンピュータ２１３上でコンピュータプログラム実行することにより実現することができる。
【０１３８】
その他、図１に示した放送番組記録再生装置１００と同一の構成については同一の符号を付し、重複する説明は省略する。
【０１３９】
＜Ｃ−２．装置動作＞
次に、図９および図１０を用いて放送番組記録再生装置３００の動作について説明する。
図９は、放送番組記録再生装置３００による予約録画動作を模式的に示すタイムチャートであり、図１０は、放送番組記録再生装置２００による予約録画動作を説明するフローチャートである。
【０１４０】
図９においては、毎週決まった曜日の、ほぼ同じ時間帯に放送される、いわゆる連続番組について、各週ごとの録画予約時点での番組情報と録画結果とを併記しており、番組情報には、録画予約の対象となっている対象番組として、第１週目の第１の番組５０１および第２週目の第２の番組５０３が存在するものとし、それぞれの番組タイトルは「冬のソナタ(19)」および「冬のソナタ(20)」であり、何れも放送開始時間２０：００時、放送終了時間２１：００時という放送時間情報を有しているものとする。
【０１４１】
また、第３週目には、放送開始時間２０：００時、放送終了時間２１：００時の放送時間情報を有した第３の番組５０５が存在するが、その番組タイトルは「美しき日々(1)」であり、予約を希望する番組ではないものとする。
【０１４２】
ここで、使用者が連続ドラマ等の連続番組である第１の番組５０１を、予約録画開始時間２０：００時、予約録画終了時間２１：００時とする予約時間帯で録画予約を行い、毎週決まった曜日に同じ時間帯で連続録画予約する設定を行ったものとする。
【０１４３】
この場合、図９に示すように、第１週目の時点においては、番組データ抽出装置２１１により抽出された番組データ２１２には第１の番組５０１の放送情報が含まれており、そこに含まれる放送時間情報には変更が加えられていないので、録画予約更新手段２１７は放送時間情報に変更がないものと判断して、当初の録画予約情報に従って録画を行うことで、第１の録画済み番組５０２を蓄積媒体２０７に記録することができる。
【０１４４】
また、図９に示すように、第２週目の時点においても、番組データ抽出装置２１１により抽出された番組データ２１２には第２の番組５０３の放送情報が含まれており、そこに含まれる放送時間情報には変更が加えられていないので、録画予約更新手段２１７は放送時間情報に変更がないものと判断して、当初の録画予約情報に従って録画を行うことで、第２の録画済み番組５０４を蓄積媒体２０７に記録することができる。
【０１４５】
ここで、第２週目の第２の番組５０３はシリーズ最終回であり、翌週、すなわち第３週目には新たな連続番組である第３の番組５０５が開始される。
【０１４６】
第３の番組５０５の番組タイトルは「美しき日々(1)」であり、当初設定された第１の番組５０１の番組タイトルとは異なっている。
【０１４７】
しかし、実施の形態１において説明したように、録画予約更新手段２１７は、新しい番組情報において番組タイトルは変更されたものの、放送時間の変更はなく、また、録画予約記憶手段２１６に保存された予約時間帯の近傍にタイトルの文字列が似通った番組も存在しない場合には、録画予約記憶手段２１６に録画予約時に保存された予約時間情報に含まれる予約録画開始時間および予約録画終了時間の情報に従って録画を実行するので、そのままでは、第３の番組５０５が蓄積媒体２０７に記録されることとなってしまう。これを防ぐものが番組改編検出手段６１４である。
【０１４８】
番組改編検出手段６１４は、番組タイトルの文字列に含まれた、連続番組の終了を意味する「終」の記号を検出することで、番組が改編されたことを検出する。
【０１４９】
ここで、「終」の記号は、通常の文字ではなく、いわゆる外字（番組送信者、受信機製造者との間で取り決められた通常の文字列とは異なる文字コード）であり、最終回であれば、タイトルの文字列に必ず付加され、多くの場合、タイトルの文字列の先頭、あるいは、他の外字の次に配置されるものである。
【０１５０】
そして、番組改編検出手段６１４が「終」の記号を検出することは、周知の技術を用いることで容易に実現でき、番組改編検出手段６１４が「終」の記号を検出すると、マイクロコンピュータ２１３は、使用者により指示された次の放送回以降の連続録画予約の情報（録画予約記憶手段２１６に保存済み）を自動的に破棄するので、第３週目の第３の番組５０５について録画予約更新手段２１７が何らかの処理を行うということはなく、第３の番組５０５が蓄積媒体２０７に記録されることを防止できる。
【０１５１】
以下、図８および図９を参照しつつ、図１０に示すフローチャートを用いて、番組改編検出手段６１４の動作についてさらに説明する。
【０１５２】
図１０は、番組改編検出手段６１４の動作全体を説明するフローチャートであり、ここでは第２週目における動作について説明する。
【０１５３】
番組データ２１２が更新された場合、番組改編検出手段６１４は、当該新しい番組データ２１２に基づいて新しい番組情報を取得する（ステップＳ３０１）。
【０１５４】
そして、ステップＳ３０２において、録画予約記憶手段２１６に保存された第２の番組５０３のタイトル文字列を用いて、新しい番組情報の中から第２の番組５０３に関する新しいタイトル情報を検出し、ステップＳ３０３に進む。
【０１５５】
なお、ステップＳ３０２の検出処理は、連続録画予約が設定され、毎週あるいは毎日のように、定期的に録画予約されている番組を対象とすれば良い。これは、録画予約記憶手段２１６に保存された各予約番組の予約情報に含まれている連続録画予約に関する情報の有無を検出することで容易に実現できる。
【０１５６】
ステップＳ３０３においては、第２の番組５０３のタイトル文字列の中に、シリーズ最終回を意味する「終」の記号が含まれているか否かについて判定を行う。
【０１５７】
そして、ステップＳ３０３において「終」の記号が含まれていないと判定された場合には、第２の番組５０３はシリーズ最終回ではないと判断してステップＳ３０５に進み、予約録画待機状態に移行する。
【０１５８】
一方、ステップＳ３０３において「終」の記号が含まれていると判定された場合には、第２の番組５０３はシリーズ最終回であると判断してステップＳ３０４に進む。
【０１５９】
ステップＳ３０４では、録画予約記憶手段２１６に保存された第２の番組５０３の連続録画予約に関する情報を自動的に破棄して、第２の番組５０３を１回のみ録画を行うように、新たな録画予約情報を設定する。
【０１６０】
この処理により、シリーズ最終回の番組は確実に録画することができる。
【０１６１】
その後は、ステップＳ３０５に進み、予約録画待機状態に移行する。なお、これらの一連の処理は、第２の番組５０３の放送が開始される前に行う。
【０１６２】
番組改編検出手段６１４の動作を図９に従って説明すれば、第２の番組５０３の録画終了後は、連続録画予約の情報が破棄されているので、第３週目の時点において予約更新手段２１７が、第３の番組５０５を録画新しい番組データ２１２から検出したとしても、それ以上の処理を行うことはなく、第３の番組５０５は蓄積媒体２０７に記録されない。これは、第４週目以降も同様である。
【０１６３】
＜Ｃ−３．効果＞
以上説明したように、実施の形態３の放送番組記録再生装置３００においては、対象番組のタイトル情報中に連続番組の終了あるいは開始を示す所定の記号が含まれている場合には、連続予約情報を自動的に破棄するので、使用者の意図しない連続番組の録画が延々と繰り返されることが自動的に防止される。
【０１６４】
より具体的には、マイクロコンピュータ２１３に番組改編検出手段６１４を内蔵し、連続番組の最終回を検出した場合には、次の放送回以降の連続録画予約の情報を自動的に破棄するので、使用者の意図しない連続番組の録画が延々と繰り返されることが自動的に防止され、使用者にとって使い勝手の良い装置となる。
【０１６５】
なお、以上の説明においては、番組改編検出手段６１４は、番組タイトルの文字列に含まれた、連続番組の終了を意味する「終」の記号を検出するものとしたが、第３の番組５０５の番組タイトルの文字列に含まれた新しい連続番組の開始を意味する「新」の記号を検出して番組改編を検出するように構成しても良い。
【０１６６】
その場合、第３の番組５０５が放送される前に、新しい番組データ２１２に基づいて、第３の番組５０５の番組タイトルを検出し、そこに「新」の記号が存在する場合は、連続録画予約の情報を破棄し、新たな録画予約情報は設定しない。これにより第３の番組５０５以降の連続番組が録画されることを防止できる。
【０１６７】
また、以上の説明においては、番組改編検出手段６１４が連続番組の終了を検出すると同時に連続予約を自動的に解除するものとしたが、使用者に対して連続番組の終了を知らせ、連続予約を解除するか、新しい連続番組（例えば第３の番組５０５）に対象を変更して連続予約を継続するかどうかの指示を受けるように構成しても良い。
【図面の簡単な説明】
【０１６８】
【図１】本発明に係る実施の形態１の放送番組記録再生装置の構成を示すブロック図である。
【図２】本発明に係る実施の形態１の放送番組記録再生装置による予約録画動作を模式的に示すタイムチャートである。
【図３】本発明に係る実施の形態１の放送番組記録再生装置による予約録画動作を説明するフローチャートである。
【図４】本発明に係る実施の形態１の放送番組記録再生装置による予約録画動作を説明するフローチャートである。
【図５】本発明に係る実施の形態２の放送番組記録再生装置の構成を示すブロック図である。
【図６】本発明に係る実施の形態２の放送番組記録再生装置による予約録画動作を模式的に示すタイムチャートである。
【図７】本発明に係る実施の形態２の放送番組記録再生装置による予約録画動作を説明するフローチャートである。
【図８】本発明に係る実施の形態３の放送番組記録再生装置の構成を示すブロック図である。
【図９】本発明に係る実施の形態３の放送番組記録再生装置による予約録画動作を模式的に示すタイムチャートである。
【図１０】本発明に係る実施の形態３の放送番組記録再生装置による予約録画動作を説明するフローチャートである。
【符号の説明】
【０１６９】
１００，２００，３００  放送番組記録再生装置。
【図１】
2006229396.tif 000003
【図２】
2006229396.tif 000004
【図３】
2006229396.tif 000005
【図４】
2006229396.tif 000006
【図５】
2006229396.tif 000007
【図６】
2006229396.tif 000008
【図７】
2006229396.tif 000009
【図８】
2006229396.tif 000010
【図９】
2006229396.tif 000011
【図１０】
2006229396.tif 000012